(57)【要約】【課題】電子書籍の表示領域を確保しつつ、ブックマークを設定する方法及びその装置を提供する。【解決手段】本発明による電子書籍のブックマーク設定方法は、電子書籍のブックマークを設定する方法であって、電子書籍を表示中にタッチスクリーン上で実行される動作を認識するステップと、前記認識された動作が現在表示されている対象ページを折る動作であるか否かを判定するステップと、前記認識された動作が前記対象ページを折る（ｆｏｌｄ）動作である場合、前記対象ページにブックマークを設定するステップとを有する。【選択図】      図２
2013218693.tif 000002
【特許請求の範囲】
【請求項１】
電子書籍のブックマークを設定する方法であって、
電子書籍を表示中にタッチスクリーン上で実行される動作を認識するステップと、
前記認識された動作が現在表示されている対象ページを折る動作であるか否かを判定するステップと、
前記認識された動作が前記対象ページを折る（ｆｏｌｄ）動作である場合、前記対象ページにブックマークを設定するステップとを有することを特徴とする電子書籍のブックマーク設定方法。
【請求項２】
前記認識された動作が前記対象ページを折る動作であるか否かを判定するステップは、前記対象ページのめくり動作中に前記対象ページのめくられない部分とめくられる部分との間の境界に沿って第１のスワイプ動作が認識される場合、前記対象ページを折る動作であると判定することを特徴とする請求項１に記載の電子書籍のブックマーク設定方法。
【請求項３】
前記対象ページにブックマークを設定するステップは、前記対象ページのブックマークの設定時に認識されたスワイプ動作の回数によって前記対象ページの折れた部分の陰影を相違させて表示するステップを含むことを特徴とする請求項２に記載の電子書籍のブックマーク設定方法。
【請求項４】
前記ブックマークを設定するステップ以後に、
前記対象ページの折れた部分を広げる動作が認識された後、前記対象ページの折れ跡に沿って第２のスワイプ動作が認識された場合、あるいは前記折れた部分が広がった状態で前記対象ページをめくる動作が認識された場合に、前記対象ページのブックマークを解除するステップをさらに有することを特徴とする請求項３に記載の電子書籍のブックマーク設定方法。
【請求項５】
前記ブックマークを設定するステップ以後に、
ブックマークが設定された対象ページを示すブックマークリストを生成するステップと、
前記対象ページのブックマークの設定時に認識された前記第１のスワイプ動作の回数に基づいて前記対象ページの重要度を設定するステップと、
前記ブックマークリストの出力時に前記対象ページの重要度を表示するステップとをさらに有することを特徴とする請求項２に記載の電子書籍のブックマーク設定方法。
【請求項６】
前記対象ページの重要度を設定するステップ以後に、
前記対象ページの折れた部分を広げる動作が認識された後、前記対象ページの折れ跡に沿って第２スワイプ動作が認識された場合、前記第２のスワイプ動作が認識された回数に基づいて前記対象ページの重要度を減少させるステップをさらに有するか、
又は、前記対象ページの折れた部分を広げた状態で前記対象ページのめくり動作が認識された場合、前記対象ページの重要度を一段階だけ減少させるステップをさらに有することを特徴とする請求項５に記載の電子書籍のブックマーク設定方法。
【請求項７】
前記対象ページの重要度を減少させるステップ以後に、
前記対象ページの重要度が所定のしきい値未満である場合に、前記対象ページのブックマークを解除することを特徴とする請求項６に記載の電子書籍のブックマーク設定方法。
【請求項８】
前記対象ページの重要度を設定するステップ以後に、
前記対象ページの折れた部分を広げる動作が認識された後に前記対象ページを再び折る動作が認識された場合、前記対象ページの重要度を一段階だけ増加させるステップをさらに有することを特徴とする請求項５に記載の電子書籍のブックマーク設定方法。
【請求項９】
電子書籍のブックマークを設定する装置であって、
ユーザーの動作による入力信号を発生させ、前記入力信号に従う表示をディスプレイに表示するタッチスクリーンと、
前記入力信号に基づいてユーザーの動作を認識し、前記認識されたユーザーの動作が前記電子書籍の中で現在表示されている対象ページを折る動作であると判断される場合、前記対象ページにブックマークを設定する制御部とを有することを特徴とする電子書籍のブックマーク設定装置。
【請求項１０】
前記制御部は、前記対象ページのめくり動作中に前記対象ページのめくられない部分とめくられる部分との間の境界面に沿って第１のスワイプ動作が認識される場合、前記第１のスワイプ動作が前記対象ページを折る動作であると判定することを特徴とする請求項９に記載の電子書籍のブックマーク設定装置。
【請求項１１】
前記制御部は、前記境界面に沿って折れた形態で前記対象ページを表示し、前記対象ページのブックマークの設定時に認識された前記第１のスワイプ動作の回数に従って前記対象ページの折れた部分が相違する陰影を有するように制御することを特徴とする請求項１０に記載の電子書籍のブックマーク設定装置。
【請求項１２】
前記制御部は、前記対象ページの折れた部分を広げる動作が認識された後、前記対象ページの折れ跡に沿って第２のスワイプ動作が認識される場合、あるいは前記折れた部分を広げた状態で前記対象ページのめくり動作が認識される場合に、前記対象ページのブックマークを解除することを特徴とする請求項１１に記載の電子書籍のブックマーク設定装置。
【請求項１３】
前記制御部は、前記ブックマークが設定された対象ページを示すブックマークリストを生成し、前記対象ページのブックマークの設定時に認識された前記第１のスワイプ動作の回数に基づいて前記対象ページの重要度を設定し、前記ブックマークリストの出力時に前記対象ページの重要度を表示させることを特徴とする請求項１０に記載の電子書籍のブックマーク設定装置。
【請求項１４】
前記制御部は、前記対象ページの折れた部分を広げる動作が認識された後、前記対象ページの折れ跡に沿って第２スワイプ動作が認識された場合、前記第２のスワイプ動作が認識された回数に基づいて前記対象ページの重要度を減少させるか、
又は、前記対象ページの折れた部分を広げた状態で前記対象ページのめくり動作が認識された場合、前記対象ページの重要度を一段階だけ減少させることを特徴とする請求項１３に記載の電子書籍のブックマーク設定装置。
【請求項１５】
前記制御部は、前記対象ページの重要度が所定のしきい値未満である場合に前記対象ページのブックマークを解除することを特徴とする請求項１４に記載の電子書籍のブックマーク設定装置。
【請求項１６】
前記制御部は、前記対象ページの折れた部分を広げる動作が認識された後に前記対象ページを再び折る動作が認識された場合、前記対象ページの重要度を一段階だけ増加させることを特徴とする請求項１３に記載の電子書籍のブックマーク設定装置
【発明の詳細な説明】
【技術分野】
【０００１】
本発明は、一般的に電子書籍に関し、特に、電子書籍にブックマークを設定する方法及び装置に関する。
【背景技術】
【０００２】
最近、情報通信技術の発達により、スマートフォンのような各種メディア機器の使用が増加しており、このようなメディア機器は、使用の便利性とデザインなどを考慮してタッチスクリーンを採択している。
このようなメディア機器では、汎用性を有するソフトウェアフラットフォーム（ｓｏｆｔｗａｒｅ  ｆｌａｔｆｏｒｍ）によるアプリケーションの普及に従って多様な機能が搭載され、その中でも書籍を電子文書の形態で生成又は変換した電子書籍（ｅ−ｂｏｏｋ）は、その使用の便利性によってその利用が増加している。
【０００３】
一方、電子書籍関連アプリケーションは、実際の書籍を読むときと同様な効果を奏するように多様な機能を提供している。
例えば、実際の書籍のようにページめくり効果を有したり、ユーザーが再読を希望するページにブックマークを設定したりする機能も提供している。
【０００４】
図１は、従来技術による電子書籍のブックマーク設定方法の一例を示す。
図１に示すように、電子書籍を読んでいるときにユーザーが現在表示されているページにブックマークの設定を所望する場合、ユーザーは、ブックマーク設定に関連したメニューである“ブックマーク”をクリックしてブックマークを設定することができる。
【０００５】
しかしながら、図１に示すように、従来の電子書籍のブックマーク設定方法は、ブックマーク設定のための設定可能なメニューを表示する所定のディスプレイ領域を必要とするため、電子書籍の内容を表示するディスプレイ領域が減少するという問題があった。
さらに、この従来の方法は、実際の本にブックマークを設定する方法とは異なるので、ユーザー体験（Ｕｓｅｒ  Ｅｘｐｅｒｉｅｎｃｅ：ＵＸ）が低下するという問題があった。
【先行技術文献】
【特許文献】
【０００６】
【特許文献１】米国特許出願公開第２０１１−００５０５９４号明細書
【特許文献２】韓国公開特許第２００６−０１１９０２３号公報
【発明の概要】
【発明が解決しようとする課題】
【０００７】
本発明は、上記従来の電子書籍における問題点に鑑みてなされたものであって、本発明の目的は、電子書籍の表示領域を確保しつつ、ブックマークを設定する方法及びその装置を提供することにある。
また、本発明の他の目的は、実際の本にブックマークを設定する方法と同様な方法でブックマークを設定可能にすることで、ユーザー体験（ＵＸ）を増加させる方法及びその装置を提供することにある。
【課題を解決するための手段】
【０００８】
上記目的を達成するためになされた本発明による電子書籍のブックマーク設定方法は、電子書籍のブックマークを設定する方法であって、電子書籍を表示中にタッチスクリーン上で実行される動作を認識するステップと、前記認識された動作が現在表示されている対象ページを折る動作であるか否かを判定するステップと、前記認識された動作が前記対象ページを折る（ｆｏｌｄ）動作である場合、前記対象ページにブックマークを設定するステップとを有することを特徴とする。
【０００９】
上記目的を達成するためになされた本発明による電子書籍のブックマーク設定装置は、電子書籍のブックマークを設定する装置であって、ユーザーの動作による入力信号を発生させ、前記入力信号に従う表示をディスプレイに表示するタッチスクリーンと、前記入力信号に基づいてユーザーの動作を認識し、前記認識されたユーザーの動作が前記電子書籍の中で現在表示されている対象ページを折る動作であると判断される場合、前記対象ページにブックマークを設定する制御部とを有することを特徴とする。
【発明の効果】
【００１０】
本発明に係る電子書籍のブックマーク設定方法及びその装置によれば、電子書籍の表示領域を確保しつつブックマークを設定することができるという効果がある。
また、実際の本にブックマークを設定する方法と同様な方法でブックマークを設定可能にすることによって、ユーザー体験（ＵＸ）を増加させることができるという効果がある。
さらに、ブックマークが設定されたページをユーザーが簡便に確認することができるという効果がある。
【図面の簡単な説明】
【００１１】
【図１】従来技術による電子書籍のブックマーク設定方法の一例を示す図である。
【図２】本発明の一実施形態によるブックマーク設定方法の概略的な手順を説明するためのフローチャートである。
【図３】本発明の一実施形態によるブックマーク設定方法の一例を示す図である。
【図４】本発明の他の実施形態によるブックマーク設定方法の一例を示す図である。
【図５Ａ】本発明の他の実施形態によるブックマーク設定方法の例を示す図である。
【図５Ｂ】本発明の他の実施形態によるブックマーク設定方法の例を示す図である。
【図５Ｃ】本発明の他の実施形態によるブックマーク設定方法の例を示す図である。
【図６Ａ】本発明の一実施形態により、ブックマークが設定されているページに割り当てられる視覚的効果の例を示す図である。
【図６Ｂ】本発明の一実施形態により、ブックマークが設定されているページに割り当てられる視覚的効果の例を示す図である。
【図７Ａ】本発明の一実施形態によるブックマーク解除方法の一例を示す図である。
【図７Ｂ】本発明の一実施形態によるブックマーク解除方法の一例を示す図である。
【図８Ａ】本発明の他の実施形態によるブックマーク解除方法の例を示す図である。
【図８Ｂ】本発明の他の実施形態によるブックマーク解除方法の例を示す図である。
【図８Ｃ】本発明の他の実施形態によるブックマーク解除方法の例を示す図である。
【図９Ａ】本発明の一実施形態によるブックマークリスト表示方法の例を示す図である。
【図９Ｂ】本発明の一実施形態によるブックマークリスト表示方法の例を示す図である。
【図１０Ａ】本発明の一実施形態によるブックマークイメージ出力方法の例を示す図である。
【図１０Ｂ】本発明の一実施形態によるブックマークイメージ出力方法の例を示す図である。
【図１０Ｃ】本発明の一実施形態によるブックマークイメージ出力方法の例を示す図である。
【図１１】本発明の一実施形態によるブックマークが設定されている電子書籍をマーキングする方法の一例を示す図である。
【図１２】本発明の実施形態によるブックマーク設定装置を示すブロック構成図である。
【発明を実施するための形態】
【００１２】
次に、本発明に係る電子書籍のブックマーク設定方法及びその装置を実施するための形態の具体例を図面を参照しながら説明する。
【００１３】
下記の説明で、本発明に関連した公知の機能又は構成に関する具体的な説明が本発明の要旨を不明確にすると判断された場合に、明瞭性と簡潔性のためにその詳細な説明を省略する。
【００１４】
上記したように、従来のブックマーク方法によると、ブックマーク設定のための特定メニューが表示領域に表示されるべきであるため、電子書籍が表示される領域が減少するという問題点がある。さらに、ブックマーク設定方法がユーザーに直観的でないという問題点がある。
したがって、本発明では、メディア機器で特定メニューの表示なしに、そして表示領域の減少なしに、ユーザーが電子書籍でブックマークを簡単に設定できる方法を提供することで、上記した問題点を克服し、追加的な利点を提供する。
また、ユーザーは、ブックマークの位置を迅速に決定し、簡単な方法でその設定及び解除動作を遂行することができる。
さらに、本発明は、より現実的にブックマーク設定プロセスがなされることによって、ユーザーがユーザー体験（ＵＸ）を向上させる方法を提供する。
【００１５】
以下の本発明の実施形態に関する説明において、メディア機器は、ユーザーの動作を認識できるタッチスクリーンを含むと仮定する。
ここで、メディア機器は、例えばテキストの記録、マーキング、及び再生のうち少なくとも一つの実行が可能なデバイスが該当し、携帯電話、スマートフォン、ナビゲーション、ＰＤＡ（ＰｅｒｓｏｎａｌＤｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＭＰ３（Ｍｏｖｉｎｇ  Ｐｉｃｔｕｒｅ  Ｅｘｐｅｒｔｓ  Ｇｒｏｕｐ  ｌａｙｅｒ  ３）プレーヤー、ゲーム機、タブレット、ネットブック（ｎｅｔｂｏｏｋ）、デスクトップコンピュータ、ノートパソコン（ｎｏｔｅｂｏｏｋ  ｃｏｍｐｕｔｅｒ）、インターネットに接続可能な通信端末又は二重システム（ｄｕｐｌｅｘ  ｓｙｓｔｅｍｓ）、及び放送受信が可能な通信端末を含む意味を有する。
【００１６】
まず、図２を参照して、本発明の一実施形態によるブックマーク設定方法のフローについて説明する。
ステップＳ２０１において、本発明の実施形態によるメディア機器は、電子書籍の表示中にタッチスクリーン上で実行されるユーザーの動作を認識し、ステップＳ２０３に進行する。
ステップＳ２０３において、メディア機器は、ステップＳ２０１で認識したユーザーの動作が現在表示されているページを折る動作であるか否かを判定する。
その結果、ユーザーの動作が現在表示されているページを折る動作である場合、メディア機器は、ステップＳ２０５で、該当ページのブックマーク設定を実行する。
【００１７】
一方、ステップＳ２０３の判定の結果、認識したユーザーの動作が現在表示されているページを折る動作でない場合には、メディア機器は、ステップＳ２１３で、ユーザーの動作が表示されているページの折れた部分を広げる動作であるか否かを判定する。
ユーザーの動作が現在表示されているページの折れた部分を広げる動作であると判定された場合、メディア機器は、ステップＳ２１５で、該当ページのブックマークを解除する。
すなわち、本実施形態によれば、任意のページが折れている場合、該当ページにブックマークが設定されていることを意味する。
【００１８】
ステップＳ２１３において、メディア機器は、ステップＳ２０１で認識したユーザーの動作が現在表示されているページの折れた部分を広げる動作でないと判定される場合、すなわち、認識したユーザーの動作がブックマーク設定と関係ないと判断される場合、ステップＳ２２５で、認識したユーザーの動作に対応する機能を実行する。
以上、本発明の一実施形態によるブックマーク設定方法について簡略に説明した。
【００１９】
以下に、本発明の具体的な実施形態について図面を参照して説明する。
図３〜図５Ｃは、本発明の実施形態によるブックマーク設定方法の例を示す。
図３は、２つの指を用いる本発明の実施形態よるブックマーク設定方法の一例を示す。
図３に示すように、ユーザーは、一つの指を用いて表示領域３０１に現在表示されているページの一側からスワイプ（ｓｗｉｐｅ）動作を実行して現在表示されているページのめくり動作を実行することができる。
すなわち、メディア機器は、現在表示中であるページの一側からのスワイプ動作が認識される場合、現在表示されているページのめくり動作を実行する。
【００２０】
一方、めくり動作の完了以前、すなわち、めくり動作中にユーザーが他の指を用いて現在表示されているページのまだめくられていない部分とめくられている部分との間の境界領域３０２に沿ってスワイプ動作が実行されたことを認識した場合、メディア機器は、該当ページが折れていると判断し、そのページにブックマークを設定する。
ここで、スワイプ動作は、一方向又は両方向のスワイプを含む。
以下、“めくり動作中”は、現在表示されているページがまだめくられていない部分がある場合を意味し、“めくり動作の完了”は、表示されているページが次のページに切り替わった場合を意味する。
【００２１】
このように、本発明では、実際の本でブックマークを設定するのと同様な効果を提供することによって、ユーザーが現実的にユーザー体験を感じることができるという利点を有する。
また、図１を参照して説明した従来技術で要求されたブックマーク設定のための別途のメニューをマーキングするための表示領域を必要としないので、より大きな電子書籍のディスプレイ領域を確保することができるという利点を有する。
【００２２】
図４は、本発明の他の実施形態によるブックマーク設定方法の一例を示す。
この方法は、一つの指を用いてブックマークを設定するものである。
図４に示すように、ユーザーは、一つの指を使用して現在表示されているページの一側からスワイプ動作を実行して現在表示されているページのめくり動作を実行することができる。すなわち、メディア機器は、現在表示されているページの一側からのスワイプ動作が認識される場合、現在表示されているページのめくり動作を実行する。
【００２３】
この時、めくり動作の完了以前、すなわち、めくり動作中に、ユーザーが現在表示されているページのめくられている部分の端（ｅｄｇｅ）領域３０４に沿って所定の速度以上でスワイプ動作を実行したことが認識された場合、メディア機器は、該当ページが折られたと判断し、そのページにブックマークを設定する。
【００２４】
ここで、スワイプ動作が所定の速度以上で実行された場合、該当ページが折られたと判断する。
その理由は、例えば、該当ページをめくるスワイプ動作の際にユーザーの指位置が上下に移動する場合、該当ページの端部分は、指位置の移動に従って上下に移動するように設定されることがあるためである。
すなわち、ユーザーがブックマークの設定のために領域３０４に沿って一つの指を動く場合でも、この動きは、ブックマーク設定のための動作として認識せず、めくられている部分の端部分がユーザーの指の動きに従って移動する効果を表示できるためである。
【００２５】
例えば、ページをめくるスワイプ動作が左右方向にのみ認識されるように設定される場合、スワイプ動作が所定の速度以上に遂行されるか否かは、判断の条件から除外される。このような場合、メディア機器は、実質的に上下（垂直）方向へのスワイプ動作が認識される場合、該当スワイプ動作を該当ページに対するブックマーク設定のための動作として認識できる。
【００２６】
図５Ａ〜図５Ｃは、本発明の他の実施形態によるブックマーク設定方法の一例を示す。
この方法は、一つの指を使用してブックマークを設定するものである。
図４で説明したように、現在表示されているページの端部分がユーザーの指位置に従って移動するように設定された場合、上下方向へのスワイプ動作は、現在表示されているページを折る動作として認識されないこともある。
【００２７】
したがって、図５Ａに示すように現在表示されているページをめくるスワイプ動作の実行中に、ユーザーの指の動きが特定領域で所定時間以上停止する場合には、停止以後にユーザーが指を離す場合でも図５Ｂに示すように、該当ページはめくり動作状態が途中のままで表示される。
その後、メディア機器は、図５Ｃに示すように上記領域３０２に沿って実行されるスワイプ動作が認識された場合、そのスワイプ動作を該当ページに対するブックマーク設定のための動作として認識する。
【００２８】
一方、ブックマークが特定ページに設定された場合、図６Ａに示すようにブックマークが設定されたページの折れた部分に折れ跡６０２が残っている視覚的効果を提供できる。
このような視覚的効果は、例えば陰影表示で実現され得る。
さらに、ブックマークが設定されたページの折れている部分を広げる場合、図６Ｂに示すように折れ跡６０４が残っている視覚的効果を提供することもできる。この視覚的効果は、上記した本発明のすべての実施形態で提供され得る。
上記の実施形態により、陰影表示は、折れた部分の境界に沿って、あるいは折れ部分の全体に示すことができる。
【００２９】
このとき、ブックマークの設定において、陰影の濃度は、ユーザーのスワイプ動作の回数に従って相違させることができる。
例えば、ブックマークの設定時に認識されたスワイプ動作の回数が１回である場合に陰影濃度を２０％にし、ブックマークの設定時に認識されたスワイプ動作の回数が２回である場合に陰影濃度を４０％にすることができる。
以上、本発明の実施形態によるブックマーク設定方法について、図３〜図６Ｂを参照して説明した。
【００３０】
以下に、本発明の実施形態によるブックマーク解除方法について、図７Ａ〜図８Ｃを参照して説明する。
図７Ａ及び図７Ｂは、本発明の一実施形態によるブックマーク解除方法の例を示す。
図７Ａはブックマークが設定されている状態を示し、図７Ｂは、ブックマークが設定されているページを広げることによりブックマークが解除する状態を示す。
【００３１】
ブックマークを解除するために、ユーザーは、ブックマークが設定されているページの折れた部分の端部分から始めるスワイプ動作を通じてページを広げる。
この時、メディア機器は、該当ページに対するブックマークが解除されたと判断する。
すなわち、ブックマークが設定されているページの折れた部分がユーザーのスワイプ動作により広がる場合、メディア機器は、該当ページに対するブックマークを解除する。
本発明は、実際の本でブックマークを解除することと同じ効果を提供してユーザーが現実的なユーザー体験を感知できるようにする利点がある。
【００３２】
図８Ａ〜図８Ｃは、本発明の他の実施形態によるブックマーク解除方法の例を示す。
図８Ａはブックマークが設定されている状態を示し、図８Ｂは、折れている部分を広げた状態で折れ跡６０４に沿ってスワイプ動作を実行する過程を示す。
図８Ｃは、ブックマークの設定時に認識されたスワイプ動作の回数より少ない回数のスワイプ動作が認識されるため、折れ跡６０４が低い陰影濃度で表示されるスクリーンを示す。
【００３３】
図６を参照して前述したように、ブックマークが設定された部分に陰影表示のような折れ跡が残っている場合、ユーザーが折れた部分を広げても、メディア機器は、直ちに該当ページに対するブックマークを解除せずに、ユーザーが折れ跡６０４に沿ってスワイプ動作を遂行した場合にブックマークを解除させることができる。
すなわち、メディア機器は、ユーザーがブックマークが設定されたページの折れた部分を広げる状態で折れ跡６０４に沿ってスワイプ動作が実行されたことが認識された場合、該当ページのブックマークを解除する。
【００３４】
一方、図６Ａ及び図６Ｂを参照して説明したように、ブックマークの設定時に認識されたユーザーのスワイプの回数に従ってその効果表示を相違させる場合、例えば、ブックマークの設定時に認識されたユーザーのスワイプ動作の回数に従って陰影濃度を濃くした場合に、該当ページのブックマークは、ユーザーにより折れた部分を広げた状態で実行されたスワイプ動作の回数によって該当ページに対するブックマークを解除したり、ブックマークを解除しない状態で異なる視覚的効果のみを与えることができる。
【００３５】
例えば、ブックマークの設定時にユーザーが２回のスワイプ動作を実行してブックマークが設定された場合には、該当ページの折れた部分の陰影濃度を４０％に設定することができ、この場合、ユーザーが該当ページの折れている部分を広げた状態で１回のみのスワイプ動作を実行する場合、該当ページのブックマークを解除することなく、折れた部分の陰影濃度のみを２０％に低くして表示することができる。
【００３６】
以上、図７Ａ〜図８Ｃを参照して、本発明の一実施形態によるブックマーク解除方法について説明した。
ブックマークが設定される場合、ブックマークが設定されたページに対するブックマークリストをさらに生成してユーザーに便宜を提供できる。
以下、ブックマークが設定されたページにブックマークリストを生成する方法について、関連図面を参照して説明する。
【００３７】
図９Ａ及び図９Ｂは、本発明の一実施形態によるブックマークが設定されたページのブックマークリストを表示する方法を説明するための例示図である。
図９Ａは、設定された電子書籍のリストに加えてブックマークリストが設定されることを示し、図９Ｂはブックマークが設定されたページのみを表示するための別途のリストを示す例である。
【００３８】
特定ページに対してブックマークが設定される場合、メディア機器は、該当ページに対するブックマークリストを生成する。
ここで、ブックマークリストの生成は、設定されている電子書籍のリストに加えてブックマークが設定されているページのリストを表示することを意味し、あるいはブックマークが設定されたページのみを表示するための別途のリストを生成することを意味する。
【００３９】
上記したようにブックマークリストを出力する場合、該当ページの重要度に従ってその表示効果を相違させることができる。例えば、図９Ａ及び図９Ｂに示すように、ブックマークリストは、該当ページに対する重要度が高い場合には５個の星を付記して表示し、該当ページに対する重要度が低い場合には１個の星を付記して表示する。
【００４０】
ブックマークが設定されたページの重要度は、ブックマークの設定時に実行されたユーザーのスワイプ回数に基づいて変化させることができる。
例えば、この重要度を５段階に分けて管理する場合、ブックマーク設定の際に遂行されたユーザーのスワイプ回数が１回である場合、該当ページに対する重要度は最も低い「１」に設定し、ブックマーク設定の際に遂行されたユーザーのスワイプ回数が５回である場合、該当ページに対する重要度は、最も高い「５」に設定することができる。この重要度は、文字又はイメージの形態で表示可能である。
【００４１】
同様に、ブックマークが設定されたページの重要度は、ブックマークが設定されたページの折れた部分に沿ってユーザーがスワイプ動作を実行する回数に従って変更することができる。
例えば、重要度が「５」に設定されたページの折れた部分を広げた状態で、ユーザーが該当ページの折れ跡に沿ってスワイプ動作を１回遂行する場合、該当ページの重要度は、一段階低くして重要度を「４」に設定する。それによって、メディア機器は、ブックマークリストに表示される重要度の表示を変更して出力する。
また、重要度に従って折れ跡の視覚的効果、例えば陰影表示の陰影濃度を変更して出力する。このとき、重要度が「０」に設定される場合、該当ページに対するブックマークは解除され得る。
【００４２】
一方、ブックマークが設定されたページの折れた部分を広げた状態で、ユーザーが該当ページのめくり動作を実行して次のページが表示される場合、めくり動作が実行されるページのブックマーク設定を変更するか、あるいは維持するかを設定することができる。
例えば、メディア機器は、ブックマークが設定されたページの折れている部分を広げた状態で該当ページに対するめくり動作を完了する場合、該当ページに対するブックマークを解除できる。
【００４３】
さらに、メディア機器は、ブックマークが設定されたページの折れている部分を広げた状態で該当ページに対するめくり動作が完了した場合、該当ページに対するブックマークを維持した状態で該当ページに対する重要度を一段階低めることができる。
なお、メディア機器は、ブックマークが設定されたページの折れている部分を広げた状態で該当ページに対するめくり動作が完了した場合、該当ページに対するブックマークと重要度をそのまま維持することもできる。
【００４４】
上記の実施形態において、ブックマークを維持する場合に、該当ページは、以後該当ページの表示時に折れた状態で表示される。
一方、ユーザーによりブックマークが設定されたページの折れている部分が広げられた後に再び該当ページを折る動作が認識される場合、メディア機器は、該当ページの重要度を一段階増加させることができる。
【００４５】
ブックマークが設定された場合、任意のページの表示中にブックマークが設定されたページがあることをユーザーに通知できる。
以下、関連図面を参照してブックマークが設定されたページがあることを示すブックマークイメージを表示する方法について説明する。
【００４６】
図１０Ａは、本発明の一実施形態によるブックマークイメージ出力方法の一例を示す。
図１０Ａを参照すると、ブックマークが設定されたページがあることを示すブックマークイメージ１００２が、現在表示されているページの一側に表示されていることがわかる。このとき、ユーザーは、ブックマークイメージ１００２をタッチしてブックマークが設定された該当ページに移動できる。すなわち、メディア機器は、ブックマークイメージ１００２をタッチするユーザーの動作が認識された場合、ブックマークが設定されたページを表示する。
【００４７】
他の実施形態において、現在表示されているページを表示領域の一側に移動させるユーザーの動作が認識された場合、現在表示されているページの一側にブックマークイメージを表示することもできる。
例えば、図１０Ｂに示すように、ユーザーが２つの指を用いて画面の下方にスワイプする動作が認識された場合、メディア機器は、現在出力中であるページを下方に一部移動して表示した後、該当ページのブックマークイメージ１００２を表示できる（図１０Ｃ）。
【００４８】
上記した２つの実施形態において、ブックマークが設定されたページが複数である場合、該当ページの各々に対応するブックマークイメージが一列にすべて表示されるようにし、ブックマークイメージの一つのみを表示し、ブックマークイメージをタッチするユーザーの動作が認識される度にブックマークが設定された最も近い次のページを出力することができる。
【００４９】
一方、メディア機器に格納されている電子書籍が複数である場合、メディア機器は、電子書籍の表紙を表示することによって格納されている電子書籍をユーザーに案内できる。
これについて、図１１を参照して説明する。
図１１を参照すると、ディスプレイ領域上に複数の電子書籍（１１１２、１１１４、１１１６）が表示される。
【００５０】
すなわち、メディア機器は、格納された電子書籍の表紙を表示することによって、格納されている電子書籍をユーザーに案内できる。
ここで、ブックマークが設定された電子書籍がある場合、ブックマーク１１１３は、該当電子書籍１１１２の一側に表示できる。
図１１を参照すると、電子書籍１１１２の一側にブックマークイメージ１１１３が表示される。したがって、ユーザーは、表示されている３冊の電子書籍（１１１２、１１１４、１１１６）の中で電子書籍１１１２にブックマークが設定されることを認識できる。
【００５１】
以上、関連図面を参照して、本発明の一実施形態によるブックマークの設定、解除、及び表示に関連した本発明の実施形態による方法を説明した。
以下に、関連図面を参照して本発明の実施形態によるブックマーク設定装置について説明する。
【００５２】
図１２は、本発明の実施形態によるブックマーク設定装置を示すブロック構成図である。
図１２を参照すると、本発明の実施形態によるブックマーク設定装置は、制御部１２１０、タッチスクリーン１２２０、及びメモリ部１２３０を含む。
【００５３】
制御部１２１０は、タッチスクリーン１２２０から入力される信号に従ってユーザーの動作を認識する。
特に、制御部１２１０は、タッチスクリーン１２２０から入力される信号に基づいてユーザーにより実行される動作がブックマークの設定及び解除のためのスワイプ動作であるか否かを認識する。
また、制御部１２１０は、タッチスクリーン１２２０から入力される信号に基づいて現在表示されているページにブックマークを設定するユーザーの動作が認識された場合、該当ページに対するブックマークを設定する。
【００５４】
すなわち、制御部１２１０は、現在表示されているページの一側からスワイプ動作が認識され、該当ページのめくり動作が完了する前に該当ページのめくられていない部分とめくられた部分との間の境界面に沿ってスワイプ動作が認識された場合、該当ページに対するブックマークを設定する。
このとき、該当ページの重要度は、境界面に沿ってスワイプ動作が遂行される回数によって設定でき、境界面に沿って遂行されるイスワイプ動作の回数は、メモリ部１２３０に格納される。
【００５５】
さらに、制御部１２１０は、ブックマークが設定されたページのブックマークリストを生成できる。
ブックマークリストは、設定された電子書籍のリストに追加して表示するか、あるいは別途のリストとして生成することができる。リストの出力時に、該当ページの重要度は、リストと共に表示することができる。
【００５６】
また、本実施形態による制御部１２１０は、ブックマークが設定されたページの折れた部分を広げるためのスワイプ動作が認識された場合、該当ページに対するブックマークを解除する。
また、本実施形態による制御部１２１０は、ブックマークが設定されたページの折れた部分に沿ってスワイプ動作が認識された場合、該当ページに対するブックマークを解除することもできる。
【００５７】
本実施形態による制御部１２１０は、ブックマークが設定されたページの重要度が設定されている場合、すなわち折れ跡をスワイプする動作がブックマークの設定時に実行されたスワイプ動作の回数だけ認識された場合、該当ページに対するブックマークを解除する。
折れ跡をスワイプする動作がブックマークの設定時に遂行されたスワイプ動作の回数未満の回数だけ認識される場合、該当ページに対するブックマークが解除されない状態で該当ページの重要度のみを低くする。
このとき、該当ページの重要度が「０」となる場合、該当ページに対するブックマークが解除され得る。
【００５８】
一方、制御部１２１０は、ブックマークが設定されているページがあることを示すブックマークイメージを現在出力中であるページの一側に表示させることができる。
ブックマークが設定されたページが複数である場合、制御部１２１０は、各ページのブックマークイメージを一列に表示し、あるいは一つのブックマークイメージのみを表示することができる。
【００５９】
ブックマークイメージが一列に表示される場合、ユーザーがブックマークイメージのうちいずれか一つをタッチする動作が認識された場合、制御部１２１０は、ブックマークイメージに対応するページを出力する。
一つのブックマークイメージのみが表示される場合には、ユーザーが任意のブックマークイメージをタッチする動作が認識されると、制御部１２１０は、現在ページに最も近いブックマークが設定された次のページを出力する。
【００６０】
タッチスクリーン１２２０は、設定された表示領域に電子書籍を表示する。また、タッチスクリーン１２２０は、ユーザーがタッチする部分を感知し、感知した情報に基づいて信号を生成して制御部１２１０に出力する。
さらに、タッチスクリーン１２２０は、制御部から出力される制御信号に従って各種文字及びイメージを出力する。例えば、タッチスクリーン１２２０は、ページがめくられるイメージ、ブックマークイメージ、及びブックマークリストに関連した文字及びイメージを出力する。
【００６１】
メモリ部１２３０は、多様な電子書籍を格納する。
特に、メモリ部１２３０は、ブックマークの設定時に実行されたスワイプ動作が発生した回数を該当ページに従って格納する。
実施形態により、メモリ部１２３０は、ブックマークの設定時に実行されたスワイプ動作が発生した回数を該当ページに対応する重要度に従って格納する。
さらに、メモリ部１２３０は、ユーザーのスワイプ動作がブックマークが設定されたページの折れた部分を広げた状態で認識された場合、制御部１２１０の制御下に該当ページの重要度を一段階減少させて格納する。
【００６２】
上述したように本発明の実施形態によれば、ユーザーが簡単かつ容易な方法でブックマークの設定及び解除が可能である。
なお、本発明の実施形態は、ユーザーにより現実的なインターフェースを提供してユーザー体験を増加させる効果を提供する。
また、本発明の実施形態によると、ブックマークが設定されたページがあることを容易かつ直感的にわかるようにして、該当ページに迅速に転換することができる。
【００６３】
以上で説明した本発明の実施形態は、任意の多様な方法で実現することができる。
例えば、本発明の実施形態は、ハードウェア、ソフトウェア、又はそれらの組み合わせを用いて実現され得る。
ソフトウェアで実現される場合、多様なオペレーションシステム（ＯＳ）又はプラットフォームを用いる一つ以上のプロセッサで実行されるソフトウェアで実現することができる。さらに、このようなソフトウェアは、複数の適合したプログラミング言語の中から任意の一つを使用して作成でき、またフレームワーク又は仮想マシンで実行される実行可能な機械語コード又は中間コードでコンパイルすることができる。
【００６４】
本発明の実施形態は、一つ以上のプロセッサで実行される場合、上記した実施形態を実現する方法を遂行するための一つ以上のプログラムが記録されたプロセッサ読み取り可能な記録媒体で実現することができる。
この読み取り可能な記録媒体の例としては、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＣＤ−ＲＯＭ、磁気テープ、フロッピー（登録商標）ディスク、光データ格納装置などである。
【００６５】
尚、本発明は、上述の実施形態に限られるものではない。本発明の技術的範囲から逸脱しない範囲内で多様に変更実施することが可能である。
【図１】
2013218693.tif 000003
【図２】
2013218693.tif 000004
【図３】
2013218693.tif 000005
【図４】
2013218693.tif 000006
【図５Ａ】
2013218693.tif 000007
【図５Ｂ】
2013218693.tif 000008
【図５Ｃ】
2013218693.tif 000009
【図６Ａ】
2013218693.tif 000010
【図６Ｂ】
2013218693.tif 000011
【図７Ａ】
2013218693.tif 000012
【図７Ｂ】
2013218693.tif 000013
【図８Ａ】
2013218693.tif 000014
【図８Ｂ】
2013218693.tif 000015
【図８Ｃ】
2013218693.tif 000016
【図９Ａ】
2013218693.tif 000017
【図９Ｂ】
2013218693.tif 000018
【図１０Ａ】
2013218693.tif 000019
【図１０Ｂ】
2013218693.tif 000020
【図１０Ｃ】
2013218693.tif 000021
【図１１】
2013218693.tif 000022
【図１２】
2013218693.tif 000023